(57)【要約】【課題】補助的な照明が照射される記録物において画像弊害の発生を抑制するための情報処理装置、情報処理方法、記録装置、およびプログラムを提供する。【解決手段】補助的な照明を照射して展示する記録物を記録する画像記録装置の記録特性に関する情報を取得する取得手段と、前記取得手段により取得した前記情報に基づいて、前記記録特性に起因する前記記録物の画像弊害の発生が抑制されるように、前記補助的な照明の明るさを示す照明条件を決定する決定手段とを有するようにした。【選択図】図４
2020145090.tif 000002
【特許請求の範囲】
【請求項１】
補助的な照明を照射して展示する記録物を記録する画像記録装置の記録特性に関する情報を取得する取得手段と、
前記取得手段により取得した前記情報に基づいて、前記記録特性に起因する前記記録物の画像弊害の発生が抑制されるように、前記補助的な照明の明るさを示す照明条件を決定する決定手段と
を有することを特徴とする情報処理装置。
【請求項２】
前記決定手段は、前記情報に前記照明条件が関連付けられたテーブルを用いて前記照明条件を決定することを特徴とする請求項１に記載の情報処理装置。
【請求項３】
前記情報は、インク吐出量に関する情報、使用するインクの種類に関する情報、記録媒体の搬送精度および記録ヘッドの移動精度に関する情報、および、記録モードに関する情報の少なくとも１つを含むことを特徴とする請求項１または２に記載の情報処理装置。
【請求項４】
前記照明条件は、前記補助的な照明の明るさの範囲を示すことを特徴とする請求項１から３のいずれか１項に記載の情報処理装置。
【請求項５】
前記照明条件は、種類の異なる複数の前記情報に基づいて前記照明条件を決定する場合には、複数の前記情報のそれぞれに基づいて取得した前記照明条件のうちの上限値が最も低い前記照明条件に決定することを特徴とする請求項４に記載の情報処理装置。
【請求項６】
前記情報は、前記画像記録装置により記録された評価用パターンと、該評価用パターンの画像見本とを比較した比較結果に基づく評価ランクを含むことを特徴とする請求項１から５のいずれか１項に記載の情報処理装置。
【請求項７】
前記照明条件は、前記記録物に照明を照射した際に生じる前記画像弊害の視認性が低いほど、高く設定されることを特徴とする請求項１から６のいずれか項に記載の情報処理装置。
【請求項８】
前記照明条件は、色再現範囲を拡大しつつ、前記画像弊害の発生を抑制するように設定されることを特徴とする請求項１から７のいずれか１項に記載の情報処理装置。
【請求項９】
前記決定手段により決定した前記照明条件を通知する通知手段をさらに有することを特徴とする請求項１から８のいずれか１項に記載の情報処理装置。
【請求項１０】
所定の情報を表示可能な表示手段をさらに有し、
前記通知手段は、前記照明条件を前記表示手段に表示して通知する
ことを特徴とする請求項９に記載の情報処理装置。
【請求項１１】
補助的な照明を照射して展示する記録物を記録する画像記録装置の記録特性に関する情報を取得する取得工程と、
前記取得工程で取得した前記情報に基づいて、前記記録特性に起因する前記記録物の画像弊害の発生が抑制されるように、前記補助的な照明の明るさを示す照明条件を決定する決定工程と
を有することを特徴とする情報処理方法。
【請求項１２】
コンピュータに請求項１１に記載の情報処理方法を実行させるプログラム。
【請求項１３】
補助的な照明を照射して展示する記録物を記録する記録手段と、
前記記録手段の記録特性に関する情報を取得する取得手段と、
前記取得手段により取得した前記情報に基づいて、前記記録特性に起因する前記記録物の画像弊害の発生が抑制されるように、前記補助的な照明の明るさを示す照明条件を決定する決定手段と
を有することを特徴とする記録装置。
【請求項１４】
前記決定手段により決定した前記照明条件を通知する通知手段をさらに有することを特徴とする請求項１３に記載の記録装置。
【請求項１５】
所定の情報を表示可能な表示手段をさらに有し、
前記通知手段は、前記照明条件を前記表示手段に表示して通知する
ことを特徴とする請求項１４に記載の記録装置。
【請求項１６】
前記通知手段は、前記記録手段によって、前記照明条件を前記記録物の余白部分または前記記録物の裏面に記録して通知することを特徴とする請求項１４または１５に記載の記録装置。
【請求項１７】
前記照明条件は、一次元コードまたは二次元コードで記録されることを特徴とする請求項１６に記載の記録装置。
【請求項１８】
前記記録手段は、インクジェット方式によりインクを吐出して記録することを特徴とする請求項１３から１７のいずれか１項に記載の記録装置。
【発明の詳細な説明】
【技術分野】
【０００１】
本発明は、情報処理装置、情報処理方法、プログラム、ならびに、当該情報処理装置を備えた記録装置に関する。
【背景技術】
【０００２】
近年、種々の記録方式を用いた記録装置が普及しており、成果物としての記録物の作成を専門業者に依頼するだけでなく、個人で作成することができるようになった。こうした記録物は、例えば、作品として展示され、当該記録物をより効果的に視認させるために、当該記録物が展示される空間全体に対する照明装置のほかに、当該記録物に対してのみ光を照射する照明装置が補助的に用いられる。
【０００３】
特許文献１には、展示する環境に応じて画像出力モードを制御することで、展示環境に適した記録物を印刷可能な画像データを記録装置に出力する技術が開示されている。具体的には、特許文献１では、壁の輝度に応じて黒濃度、彩度の変化を予測し、この予測結果に基づいて、濃度や彩度の低下を招くことなく、色再現範囲を拡大できる画像出力モードを選択できるようにしている。
【先行技術文献】
【特許文献】
【０００４】
【特許文献１】特開２０１６−５４３５６号公報
【発明の概要】
【発明が解決しようとする課題】
【０００５】
一般的に、人間は周囲の明るさが明るいほど視力が向上する。なお、この点は、比視感度、空間周波数特性（ＭＴＦ）、バルテンモデルなどの考え方で説明される。例えば、図１６は、バルテンモデルと呼ばれる観察環境の違いによる、人間のコントラスト感度特性の一例を示した図である。図１６では、２ｍｍ周期のあたりに着目すると、人間は輝度が高いほど、コントラスト感度が上がることが示されている。これにより、観察環境が明るいほど記録物において色味の違い、ムラ、粒状度の違いなどを視認し易くなる。つまり、観察環境が明るいほど、ムラ、色味の違い、粒状度の違いなどの視認し易さに起因する色ムラ、スジ、粒状性といった画像弊害が発生することとなる。
【０００６】
しかしながら、特許文献１の技術では、記録物に光を照射する際に生じる虞のある画像弊害については言及されていない。
【０００７】
本発明は、上記課題に鑑みてなされたものであり、補助的な照明が照射される記録物において画像弊害の発生を抑制するための情報処理装置、情報処理方法、記録装置、およびプログラムを提供することを目的とする。
【課題を解決するための手段】
【０００８】
上記目的を達成するために、本発明による情報処理装置は、補助的な照明を照射して展示する記録物を記録する画像記録装置の記録特性に関する情報を取得する取得手段と、前記取得手段により取得した前記情報に基づいて、前記記録特性に起因する前記記録物の画像弊害の発生が抑制されるように、前記補助的な照明の明るさを示す照明条件を決定する決定手段とを有することを特徴とする。
【発明の効果】
【０００９】
本発明によれば、補助的な照明が照射される記録物において画像弊害の発生を抑制することができる。
【図面の簡単な説明】
【００１０】
【図１】本発明による情報処理装置を備えた画像処理装置の概略構成図。
【図２】画像記録装置の概略構成図。
【図３】画像処理の手順を示す図。
【図４】第１実施形態における通知処理の詳細な処理内容を示すフローチャート。
【図５】インク吐出量、淡インクの有無に照明情報が関連付けられたテーブルを示す図。
【図６】照明条件を通知する際に表示部に表示される表示画面の一例を示す図。
【図７】画像記録装置の機種に照明条件が関連付けられたテーブルを示す図。
【図８】画像記録装置の特性情報に関連付けられた照明条件を説明する図。
【図９】画像記録装置の特性情報に関連付けられた照明条件を説明する図。
【図１０】複数の特性情報に基づいて決定される照明条件を説明する図。
【図１１】テストパターンを示す図。
【図１２】画像見本を示す図。
【図１３】第５実施形態における通知処理の詳細な処理内容を示すフローチャート。
【図１４】評価ランクに照明条件が関連付けられたテーブルを示す図。
【図１５】照明条件を記録部に記録する際の一例を示す図。
【図１６】バルテンモデルによるコントラスト感度特性の一例を示すグラフ。
【発明を実施するための形態】
【００１１】
以下、添付の図面を参照しながら、本発明による情報処理装置、情報処理方法、記録装置、およびプログラムの一例を詳細に説明する。なお、以下の各実施形態は本発明を限定するものではなく、また、各実施形態で説明されている特徴の組み合わせの全てが本発明の解決手段に必須のものとは限らない。
【００１２】
（第１実施形態）
まず、図１乃至図６を参照しながら本発明による情報処理装置の第１実施形態について説明する。
【００１３】
（画像処理装置の構成）
図１を参照しながら、本発明の第１実施形態による情報処理装置を備えた画像処理装置１２の構成について説明する。図１は、画像処理装置１２のハードウェア構成を示すブロック図である。画像処理装置１２は、中央処理装置（ＣＰＵ）１６と、ＣＰＵ１６の制御のためのプログラムや各種情報を記憶するＲＯＭ１８と、ＣＰＵ１６のワーキングエリアとして用いられる記憶領域を備えたＲＡＭ２０とを備えている。ＣＰＵ１６は、ＲＯＭ１８などに記憶されたプログラムに基づいて、システムバス２２に接続される各種デバイスとのアクセスを総括的に制御する。即ち、本実施形態では、ＣＰＵ１６、ＲＯＭ１８およびＲＡＭ２０により、画像処理装置１２の全体の動作を制御するコントローラ２１として機能している。
【００１４】
ＣＰＵ１６は、システムバス２２を介して入力部２４と表示部２６とに接続されている。入力部２４は、ＵＳＢなどのシリアルバスインターフェースであり、キーボードおよびマウスなどの入力デバイス（不図示）、メモリカードリーダ、デジタルカメラおよびスキャナなどの画像入力デバイス（不図示）などが接続される。ＣＰＵ１６には、入力部２４を介してユーザからの指示や画像データなどが入力される。表示部２６は、各種情報を表示可能なモニタである。ＣＰＵ１６は、グラフィカルユーザインターフェース、画像、処理経過および処理結果などを表示部２６に表示する。
【００１５】
ＣＰＵ１６は、システムバス２２を介して記憶部２８と通信部３０と出力部３２とに接続されている。記憶部２８は、各種プログラムや各種情報が格納されているハードディスクドライブ（ＨＤＤ）やソリッドステートドライブ（ＳＳＤ）などの記憶媒体である。記憶部２８には、例えば、画像処理を実現するためのプログラムが格納されている。通信部３０は、Ｅｔｈｅｒｎｅｔ（登録商標）、Ｂｌｕｅｔｏｏｔｈ（登録商標）、Ｗｉ−Ｆｉ（登録商標）、Ｐ２Ｐなどの有線または無線ネットワーク３４に接続するためのネットワークインターフェースである。出力部３２は、ＵＳＢなどのシリアルバスインターフェースであり、画像記録装置１４、メモリカードライタ（不図示）などが接続される。ＣＰＵ１６は、出力部３２を介して画像データなどの種々の情報を画像記録装置１４、メモリカードライタに出力する。
【００１６】
ＣＰＵ１６は、通信部３０を介してネットワーク３４に接続されたサーバ装置（不図示）およびコンピュータ機器（不図示）と通信を行うことができる。ＣＰＵ１６は、ネットワーク３４により接続されたサーバ装置やコンピュータ機器などから種々のプログラムや情報を受け取って所定の処理を実行することができる。また、処理結果を、ネットワーク３４を介して接続されるサーバ装置およびコンピュータ機器に提供することができる。なお、画像処理装置１２では、出力部３２を介して画像記録装置１４と接続するようにしたが、通信部３０によりネットワーク３４を介して画像記録装置１４と接続するようにしてもよい。
【００１７】
画像処理装置１２は、例えば、汎用のパーソナルコンピュータ、タブレット、スマートフォンなどのコンピュータ機器に、画像処理を実現するためのプログラムを供給することで実現される。なお、画像処理装置１２としてタブレット、スマートフォンが用いられる場合には、入力部２４と表示部２６とは積層されてタッチパネルとして構成される。
【００１８】
（画像記録装置の構成）
次に、画像処理装置１２に接続される画像記録装置１４の構成について説明する。図２は、インクジェット記録装置としての画像記録装置１４のハードウェア構成を示すブロック図である。なお、画像記録装置１４は、インクジェット記録装置に限定されるものではない。
【００１９】
画像記録装置１４は、画像記録装置１４の全体の動作の制御を行うコントローラ３６と、ユーザにより操作可能な操作パネル３８とを備えている。また、画像記録装置１４は、記録媒体を搬送する搬送部４１と、搬送される記録媒体に対してインクを吐出する記録ヘッド４０と、記録ヘッド４０を記録媒体の搬送方向と交差する方向に往復移動するキャリッジ４３とを備えている。即ち、この画像記録装置１４は、搬送方向に搬送される記録媒体に対して、搬送方向と交差する方向に記録ヘッド４０を走査させてインクジェット方式によりインクを吐出して記録を行う、シリアルスキャンタイプのインクジェット記録装置である。
【００２０】
コントローラ３６は、ＣＰＵ４６と、ＣＰＵ４６の制御のためのプログラムや各種情報などを記憶するＲＯＭ４８と、ＣＰＵ４６のためのワーキングエリアとして用いられる記録領域を備えたＲＡＭ５０とを備えている。ＣＰＵ４６は、ＲＯＭ４８などに記憶されたプログラムに基づいて、インターフェース（Ｉ／Ｆ）５２を介して接続される各種のデバイスとのアクセスを総括的に制御する。また、ＲＡＭ５０は、画像処理装置１２から入力された画像データや生成した記録データなどの各種データを一時保管する。
【００２１】
コントローラ３６は、Ｉ／Ｆ５２を介して画像処理装置１２との間で画像データなどの記録に用いられる種々の情報を入出力する処理を行う。また、コントローラ３６は、操作パネル３８を介して入力された、例えば、文字ピッチ、文字種類などの各種情報の入力を受け付ける。さらに、コントローラ３６は、Ｉ／Ｆ５２を介して、搬送部４１を駆動する搬送モータ４２およびキャリッジ４３を駆動するキャリッジモータ４４に対して、その駆動を制御するための信号をドライバ５４から出力する。さらにまた、コントローラ３６は、Ｉ／Ｆ５２を介して、記録ヘッド４０に対してインクの吐出を制御するための信号をドライバ５６から出力する。
【００２２】
コントローラ３６では、ＣＰＵ４６が、ＲＯＭ４８に記憶されたプログラムを読み出して、読み出したプログラムに基づく各種処理を実行する。ＲＯＭ４８には、こうしたプログラム以外にも、画像記録装置１４の記録特性に関する情報（以下、「特性情報」と称する。）が記憶されている。特性情報としては、例えば、記録ヘッド４０、搬送モータ４２およびキャリッジモータ４４に関するものである。具体的には、記録ヘッド４０の特性情報としては、インクの吐出量や使用するインクの種類に関する情報などである。なお、使用するインクの種類に関する情報としては、例えば、淡インクの有無に関する情報、カラーインクの有無に関する情報などである。搬送モータ４２およびキャリッジモータ４４の特性情報としては、その移動精度などである。
【００２３】
本実施形態においては、図１、２のように、画像処理装置１２と画像記録装置１４とを別体で構成するようにしたが、これに限定されるものではない。即ち、画像処理装置１２と画像記録装置１４とを一体で構成するようにしてもよい。また、本発明は、画像情報を読み取り可能な画像読取機能を備えた複合機などにも適用することができる。
【００２４】
（画像処理）
次に、画像処理方法について説明する。図３は、記録媒体に記録するための画像データに対する処理の手順を示す図である。まず、画像処理装置１２は、デジタルカメラなどからＪＰＥＧなどの一般的な画像ファイルが持つ、レッド（Ｒ）、グリーン（Ｇ）、ブルー（Ｂ）の各色８ビットの輝度信号で表現される画像データを受け取る。そして、受け取ったＲ、Ｇ、Ｂの輝度信号データに対して、色空間変換前処理５８を行う。ここでは、３次元のＬＵＴ（Ｌｏｏｋ  Ｕｐ  Ｔａｂｌｅ）を用いて、各色８ビットまたは各色１０ビットのＲ’、Ｇ’、Ｂ’のデータに変換する。この色空間変換前処理５８は、入力されたＲ、Ｇ、Ｂの画像データが表わす色空間と画像記録装置１４で再現可能な色空間との間の差を補正するために行われる。
【００２５】
次に、色空間変換前処理５８が施されたＲ’、Ｇ’、Ｂ’各色のデータを、画像処理装置１２から画像記録装置１４に出力する。画像記録装置１４では、色空間変換前処理５８が施されたＲ’、Ｇ’、Ｂ’各色のデータに対し、３次元ＬＵＴを用いて、Ｋ、Ｃ、Ｍ、Ｙの各色１０ビットのデータに変換する色変換処理６０を行う。色変換処理６０では、輝度信号で表現される入力系のＲＧＢ系画像データが、画像記録装置１４で用いるＫ、Ｃ、Ｍ、Ｙの各インクに対応するインク色データに色変換される。
【００２６】
その後、色変換処理６０が施されたＫ、Ｃ、Ｍ、Ｙの各色１０ビットのインク色データに対し、それぞれの色に対応した１次元ＬＵＴを用いて、出力γ処理６２が施される。そして、出力γ処理６２が施されたインク色データに対し、ディザもしくはＥＤ（誤差拡散処理）などの量子化処理６４が行われる。具体的には、Ｋ、Ｃ、Ｍ、Ｙ各色１０ビットのデータから、インク滴の吐出または非吐出を示す各色１ビットの２値データに変換される。
【００２７】
こうして変換された２値データに基づいて、コントローラ３６により、搬送部４１による記録媒体の搬送、キャリッジ４３による記録ヘッド４０の走査、記録ヘッド４０からのインクの吐出などが制御されて、記録媒体に対する記録が行われる。
【００２８】
（記録物に対する照明条件の通知処理）
以上の構成において、画像記録装置１４によって、照明装置により補助的な照明を照射して展示する記録物を記録する場合について説明する。ユーザの指示に基づいて画像記録装置１４により記録物の記録を行う記録処理が開始されると、補助的な照明装置による記録物に適した照明条件を通知する通知処理が画像処理装置１２において実行される。なお、通知処理は、記録処理と並行して実行されるようにしてもよいし、記録処理の前後に実行されるようにしてもよい。また、記録物に適した照明条件とは、本実施形態では、色再現範囲を拡大しつつ、画像記録装置１４の記録特性に起因する画像弊害の発生を抑制する（画像弊害を視認し難くする）輝度（ｃｄ／ｍ2）とする。即ち、照明条件は、例えば、その下限値は、色再現範囲を拡大可能な限界値であり、その上限値は、画像弊害が発生しない（あるいは、白飛びしない）限界値となる。
【００２９】
図４は、通知処理の詳細な処理内容を示すフローチャートである。通知処理のフローチャートで示される一連の処理は、ＣＰＵ１６がＲＯＭ１８に格納されたプログラムをＲＡＭ２０に展開し実行される。あるいは、図４におけるステップの一部または全部の機能をＡＳＩＣや電子回路などのハードウェアで実現してもよい。
【００３０】
通知処理が開始されると、まず、画像記録装置１４の特性情報として、記録ヘッド４０の特性情報を取得する（Ｓ４０２）。記録ヘッド４０の特性情報としては、例えば、記録ヘッド４０から吐出されるインク滴のインク量（以下、「インク吐出量」と適宜に称する。）である。または、記録ヘッド４０の特性情報としては、記録ヘッド４０において、通常の色材濃度のインクとともに、当該インクよりも色材濃度が低い淡インクを備えているか否かである。なお、記録ヘッド４０の特性情報としては、これに限定されるものではなく、画像弊害の発生に影響し得る記録ヘッド４０の特性情報であれば、どのような情報でもよい。こうした画像弊害の発生に影響し得る記録ヘッド４０の特性情報としては、例えば、不吐情報、インクを吐出する吐出口間の吐出量のバラツキに関する情報などを含むようにしてもよい。
【００３１】
即ち、Ｓ４０２では、コントローラ２１において画像記録装置１４に対して記録ヘッド４０の特性情報を問い合わせるクエリを出力する。画像記録装置１４では、クエリを受信すると、ＲＯＭ４８に記憶された記録ヘッド４０の特性情報を画像処理装置１２に出力する。この画像記録装置１４から出力された記録ヘッド４０の特性情報を、コントローラ２１において取得する。即ち、本実施形態では、コントローラ２１が、画像記録装置１４の特性情報を取得する取得部として機能している。
【００３２】
次に、コントローラ２１において取得した特性情報と、例えば、ＲＯＭ１８に記憶されたテーブルとに基づいて、記録物に適した照明条件を決定する（Ｓ４０４）。即ち、本実施形態では、コントローラ２１が照明条件を決定する決定部として機能している。
【００３３】
ここで、テーブルでは、特性情報に応じて照明条件が関連付けられている。図５（ａ）は、インク吐出量に応じて照明条件が関連付けられたテーブルである。インク吐出量が少なければ、インク滴のサイズが小さくなって、記録媒体上に形成されるドットのサイズが小さくなる。従って、インク吐出量が少ない場合では、記録物において粒状性が視認し難くなる。粒状性が視認し難くなる、つまり、画像弊害の視認性が低くなるほど、補助的な照明装置によって色再現領域を拡大するために十分な明るさの光を照射することができる。一方、インク吐出量が多ければ、インク滴のサイズが大きくなって、記録媒体上に形成されるドットのサイズが大きくなる。従って、インク吐出量が多い場合では、記録物において粒状性が視認し易くなる。粒状性が視認し易くなる、つまり、画像弊害の視認性が高くなるほど、画像弊害の発生を抑制するために、補助的な照明装置によって照射する光の明るさを小さくしなければならない。
【００３４】
図５（ａ）では、インク吐出量の設定が３０ｐｌ、５ｐｌ、２ｐｌの順で、照明条件が１００〜４００ｃｄ／ｍ2、１００〜６５０ｃｄ／ｍ2、１００〜８００ｃｄ／ｍ2となっている。即ち、インク吐出量が３０ｐｌのときには、インク滴のサイズが大きくなるため画像弊害の視認性が高くなり、照明条件の上限は低く設定される。また、インク吐出量が２ｐｌのときには、インク滴のサイズが小さくなるため画像弊害の視認性が低くなり、照明条件の上限は高く設定される。さらに、インク吐出量が５ｐｌのときには、インク滴のサイズはインク吐出量３０ｐｌのときとインク吐出量２ｐｌのときとの中間となるため、画像弊害の視認性はインク吐出量３０ｐｌのときよりも低く、インク吐出量２ｐｌのときよりも高い。従って、照明条件の上限は、インク吐出量３０ｐｌのときよりも高く、かつ、インク吐出量２ｐｌのときよりも低く設定される。なお、インク吐出量については、図５（ａ）に示す値に限定されるものではない。また、このインク吐出量については、一定の範囲を有するようにしてもよい。さらに、図５（ａ）では、インク吐出量を３段階に設定したが、２段階あるいは４段階以上としてもよい。
【００３５】
また、図５（ｂ）は、淡インクの有無に応じて照明条件が関連付けられたテーブルである。淡インクは通常の色材濃度のインクに比べて目立ち難いので、粒状性やスジなどの画像弊害が視認し難く（発生し難く）なる。図５（ｂ）では、淡インクがなし、ありの順で、照明条件が１００〜６００ｃｄ／ｍ2、１００〜１０００ｃｄ／ｍ2となっている。なお、図５（ｂ）では、インク吐出量が５ｐｌの場合となっている。インク吐出量が２ｐｌ、３０ｐｌの場合の、淡インクの有無に応じて照明条件が関連付けられたテーブルを保持するようにしてもよい。淡インクがないときには、画像弊害の視認性は高くなり、照明条件の上限が低く設定される。また、淡インクがあるときには、淡インクがないときと比較して、画像弊害の視認性が低くなり、照明条件の上限は高く設定される。
【００３６】
なお、図５（ｂ）では、使用するインクの種類に関する情報として、淡インクの有無に関する情報を例として説明したが、これに限定されるものではない。即ち、黒インクのみで記録する場合に比べて、カラーインクを使用して記録したときのほうが、画像弊害は生じ難くなるので、カラーインクの有無に応じて照明条件が関連付けられたテーブルを用いるようにしてもよい。
【００３７】
テーブルにおいて、特性条件に関連付けられる照明条件は実験的に求められる。具体的には、異なる特性条件で記録物を作成し、作成した記録物に補助的な照明装置による照明を照射し、徐々に照明条件を変化させる。そして、照明条件の上限を、照明条件を変化させたときに画像弊害が発生しない限界値とする。なお、画像弊害が発生しない場合には、記録物において、高輝度部の階調が失われて真白になる、所謂、白飛びしない限界値となる。また、照明条件の下限については、色再現範囲を拡大できる限界値とする。なお、こうした実験では、画像弊害の発生の評価は、粒状性、ムラ、スジについての官能評価となる。従って、複数の画像弊害が発生する場合もあるが、そのときには、施験者が許容できるか否かで判断する。
【００３８】
照明条件が決定されると、コントローラ２１において、決定した照明条件を表示部２６に表示してユーザに通知し（Ｓ４０６）、通知処理を終了する。即ち、Ｓ４０６では、例えば、図６のように、表示画面１０８を表示部２６に表示することとなる。このとき、決定した照明条件を記憶部２８に記憶し、所望のタイミングでユーザが確認可能なようにしてもよい。なお、決定した照明条件は、画像記録装置１４に出力されて画像記録装置１４側、例えば、操作パネル３８に設けられたモニタ（不図示）に表示するようにしてもよい。なお、画像処理装置１２にスピーカを設けるようにして、決定した照明条件を音声により通知するようにしてもよい。このように、本実施形態では、コントローラ２１が表示部２６とともに、ユーザに対して照明条件を通知する通知部として機能している。
【００３９】
（第２実施形態）
次に、図７を参照しながら、本発明による画像処理装置の第２実施形態を説明する。なお、以下の説明においては、上記した画像処理装置１２および画像記録装置１４と同一または相当する構成については、同一の符号を用いることにより、その詳細な説明は適宜に省略する。
【００４０】
この第２実施形態による画像処理装置は、記録媒体の搬送精度および記録ヘッド４０の走査精度（移動精度）に応じて、照明条件を決定するようにした点において、上記した第１実施形態による画像処理装置と異なっている。
【００４１】
記録媒体への記録を行う画像記録装置１４では、機種毎に記録媒体の搬送精度や記録ヘッドの走査精度に違いがある。搬送精度や走査精度が高い機種の場合には、精度良く記録することができる。ここで、シリアルスキャンタイプの記録装置では、記録ヘッド４０を走査方向に移動しながら記録媒体に対して記録を行った後に、記録媒体を所定量だけ搬送する。その後、記録ヘッド４０を走査方向に移動しながら記録媒体に対する記録を行う。このように、記録媒体の搬送と記録ヘッド４０による記録とを交互に実行することにより、記録媒体に対して所定の記録を行うこととなる。従って、搬送精度や走査精度の高い機種の場合には、記録ヘッド４０の１回の走査方向での移動の際に記録される記録領域は、隣り合う記録領域と、重なったり、間隔が空いたりし難くなり、つなぎスジなどの画像弊害が生じ難い。
【００４２】
特性情報としては、例えば、記録媒体の搬送精度および記録ヘッド４０の走査精度が、低い機種１、中程度である機種２、高い機種３の３段階に設定する。画像記録装置１４では、例えば、記録媒体の搬送精度および記録ヘッド４０の走査精度に応じた機種に関する情報が特性情報としてＲＯＭ４８に記憶されている。そして、ＲＯＭ１８に記憶されるテーブルでは、図７のように、機種１では、記録された画像は低い画質となるので、画像弊害の視認性が高く、照明条件の上限は低く設定される。機種３では、記録された画像は高い画質となるので、画像弊害の視認性が低く、照明条件の上限は高く設定される。機種２では、記録された画像は、機種１で記録された画像と、機種２で記録された画像との中間の画質となる。このため、画像弊害の視認性は、機種１のときより低く、機種３のときよりも高くなり、照明条件の上限は、機種１に設定された照明条件の上限より高く、かつ、機種３に設定された照明条件の上限よりも低く設定される。なお、図７に示すテーブルは、図５（ａ）（ｂ）に示すテーブルと同様に、特性条件に関連付けられる照明条件は実験的に求められる。
【００４３】
そして、通知処理では、Ｓ４０２において、画像処理装置１２から画像記録装置１４に対して機種を問い合わせるクエリを出力し、これにより画像記録装置１４から出力された機種に関する情報を画像処理装置１２で取得する。画像処理装置１２では、取得した情報に基づいて画像記録装置１４が、記録媒体の搬送精度および記録ヘッド４０の走査精度が、低い機種１、中程度である機種２、高い機種３のどの機種に分類されるかを判断する。そして、Ｓ４０４において、この判断結果と、ＲＯＭ１８に記憶されたテーブルとに基づいて照射条件を決定する。その後、Ｓ４０６において、決定した照明条件を通知し、通知処理を終了する。
【００４４】
（第３実施形態）
次に、図８および図９を参照しながら、本発明による画像処理装置の第３実施形態を説明する。なお、以下の説明においては、上記した画像処理装置１２および画像記録装置１４と同一または相当する構成については、同一の符号を用いることにより、その詳細な説明は適宜に省略する。
【００４５】
この第３実施形態による画像処理装置は、画像記録装置における記録時の記録条件を特性情報として取得するようにして点において、上記した第１、２実施形態による画像処理装置と異なっている。
【００４６】
画像記録装置１４は、プロセスを異ならせて記録する記録モードを備えている。記録モードとしては、例えば、標準モード、高画質モード、高速モードなどである。標準モードは、標準的な画質および生産性によって、記録物の画質および生産性のバランスが良好な記録モードである。高画質モードは、例えば、マルチパス数を増やすなどして、記録に時間をかけることにより、標準モードよりも高画質に記録できるが、生産性が低下する記録モードである。高速モードは、例えば、記録ヘッド４０の走査速度を高速化するなどして、記録に要する時間を短縮することにより、標準モードよりも生産性は向上するが、画質が低下する記録モードである。こうした記録モードは、ユーザが利用目的に応じて選択する。このように、記録モードが異なると成果物としての記録物の画質も異なる。画像弊害は記録物の画質によって視認し易さに差が生じ、高画質であるほど画像弊害は視認し難い。従って、記録モードの違いによっても画像弊害を発生する照明条件が異なることとなる。
【００４７】
ＲＯＭ１８に記憶されるテーブルでは、図８（ａ）のように、高速モードでは、記録された画像は低い画質となるので、画像弊害の視認性が高く、照明条件の上限は低く設定される。高画質モードでは、記録された画像は高い画質となるので、画像弊害の視認性が低く、照明条件の上限は高く設定される。標準モードでは、記録された画像は、高速モードで記録された画像と、高画質モードで記録された画像との中間程度の画質である。このため、画像弊害の視認性は、高速モードのときよりも低く、高画質モードのときよりも高くなり、照明条件の上限は、他の２つの記録モードに設定された照明条件の上限の間に設定する（図８（ｂ）参照）。なお、図８（ａ）に示すテーブルは、図５（ａ）（ｂ）に示すテーブルと同様に、特性条件に関連付けられる照明条件は実験的に求められる。
【００４８】
そして、通知処理では、Ｓ４０２において、画像処理装置１２から画像記録装置１４に対して記録処理における記録モードを問い合わせるクエリを出力し、これにより画像記録装置１４から出力された記録モードに関する情報を画像処理装置１２で取得する。そして、Ｓ４０４において、取得した記録モードに関する情報と、ＲＯＭ１８に記憶されたテーブルとに基づいて照明条件を決定する。その後、Ｓ４０６において、決定した照明条件を通知し、通知処理を終了する。
【００４９】
ところで、画像記録装置１４においては、使用する記録媒体に応じて記録モードが自動的に設定される仕様のものもある。この場合、画像記録装置１４から取得する特性情報は記録媒体の種類とし、ＲＯＭ１８に記憶されるテーブルでは、記録媒体の種類に応じて照明条件が関連付けられるようにしてもよい。例えば、半光沢の記録用紙である第１記録用紙を使用する場合は高速モードで記録されるとする。また、光沢のある記録用紙である第２記録用紙を使用する場合は標準モードで記録されるとする。さらに、光沢のある高画質記録用紙である第３記録用紙を使用する場合は高画質モードで記録されるとする。この場合、ＲＯＭ１８で記憶されるテーブルは、図９（ａ）のようになる。即ち、第１記録用紙では、高速モードで記録されるため画像弊害の視認性が高く、照明条件の上限は低く設定される。第３記録用紙では、高画質モードで記録されるため画像弊害の視認性が低く、照明条件の上限は高く設定される。第２記録用紙では、標準モードで記録されるため画像弊害の視認性は、第１記録用紙のときより低く、第３記録用紙のときより高い。従って、照明条件の上限は、第１記録用紙および第３記録用紙に設定された照明条件の間に設定される（図９（ｂ）参照）。なお、図９（ａ）に示すテーブルは、図５（ａ）（ｂ）に示すテーブルと同様に、特性条件に関連付けられる照明条件は実験的に求められる。
【００５０】
そして、通知処理では、Ｓ４０２において、画像処理装置１２から画像記録装置１４に対して記録媒体の種類を問い合わせるクエリを出力し、これにより画像記録装置１４から出力された記録媒体の種類に関する情報を画像処理装置１２で取得する。そして、Ｓ４０４において、取得した記録媒体の種類に関する情報と、ＲＯＭ１８に記憶されたテーブルとに基づいて照明条件を決定する。その後、Ｓ４０６において、決定した照明条件を通知し、通知処理を終了する。
【００５１】
（第４実施形態）
次に、図１０を参照しながら、本発明による画像処理装置の第４実施形態を説明する。なお、以下の説明においては、上記した画像処理装置１２および画像記録装置１４と同一または相当する構成については、同一の符号を用いることにより、その詳細な説明は適宜に省略する。
【００５２】
この第４実施形態による画像処理装置は、複数種類の特性情報に基づいて照明条件を決定する点において、上記した第１〜３実施形態による画像処理装置と異なっている。
【００５３】
本実施形態では、ＲＯＭ１８には、インク吐出量に照明条件が関連付けられたテーブル１（図５（ａ）参照）、淡インクの有無に照明条件が関連付けられたテーブル２（図５（ｂ）参照）が記憶されている。また、ＲＯＭ１８には、搬送精度および走査精度に基づいて分類された機種に照明条件が関連付けられたテーブル３（図７参照）、記録モードに照明条件が関連付けられたテーブル４（図８（ａ）参照）が記憶されている。
【００５４】
そして、通知処理では、Ｓ４０２において、画像処理装置１２から画像記録装置１４に対して、特性情報を問い合わせるクエリを出力し、これにより画像記録装置１４から出力された特性情報を画像処理装置１２で取得する。ここで、取得する特性情報としては、インク吐出量に関する情報、淡インクの有無に関する情報、機種に関する情報、および記録モードに関する情報となる。
【００５５】
次に、Ｓ４０４において、取得した各特性情報と、ＲＯＭ１８に記憶されたテーブル１〜４とに基づいて照明条件を決定し、Ｓ４０６において、決定した照明条件を通知する。その後、この通知処理を終了する。即ち、Ｓ４０４では、まず、取得した各特性情報に基づいて、それぞれ対応するテーブルから照明条件を取得する。即ち、本実施形態では、４つの照明条件を取得することとなる。その後、取得した４つの照明条件のうち、上限値が最も低い照明条件を、通知する照明条件として決定する。
【００５６】
具体的は、例えば、インク吐出量が５ｐｌ、淡インクを有し、機種１であり、標準モードで記録する画像記録装置１４では、各特性情報に基づいて取得される照明条件は、図１０（ａ）のようになる。即ち、テーブル１（図５（ａ）参照）を参照して、インク吐出量に関する情報に基づいて、照明条件１００〜６５０ｃｄ／ｍ2を取得する。また、テーブル２（図５（ｂ）参照）を参照して、淡インクの有無に関する情報に基づいて、照明条件１００〜１０００ｃｄ／ｍ2を取得する。さらに、テーブル３（図７参照）を参照して、機種に関する情報に基づいて、照明条件１００〜４００ｃｄ／ｍ2を取得する。さらにまた、テーブル４（図８（ａ）参照）を参照して、記録モードに関する情報から１００〜６００ｃｄ／ｍ2を取得する。
【００５７】
そして、取得した各照明条件のうち、上限値が最も低い照明条件を選択し、選択した照明条件を、ユーザに通知する照明条件として決定する。即ち、上限値が最も低い照明条件１００〜４００ｃｄ／ｍ2を、照明条件として決定することとなる。このように、最も条件の厳しい（狭い）照明条件とすることで、確実に画像弊害の発生を抑制することができるようになる。
【００５８】
なお、本実施形態の場合には、例えば、図１０（ｂ）のように、複数の特性情報に応じて照明条件を決定するテーブルをＲＯＭ１８に記憶するようにし、当該テーブルを用いて照明条件を決定するようにしてもよい。図１０（ｂ）は、淡インクを備えた機種１の画像記録装置１４において作成される記録物に対して照明条件を決定するテーブルの一例である。記録モードとインク吐出量とによって、照明条件を決定することができる。なお、淡インクの有無、機種を異にするテーブルを作成して、ＲＯＭ１８に保持するようにしてもよい。こうしたテーブルは、図５（ａ）（ｂ）に示すテーブルと同様に、特性条件に関連付けられる照明条件は実験的に求められる。
【００５９】
（第５実施形態）
次に、図１１乃至図１４を参照しながら、本発明による画像処理装置の第５実施形態を説明する。なお、以下の説明においては、上記した画像処理装置１２および画像記録装置１４と同一または相当する構成については、同一の符号を用いることにより、その詳細な説明は適宜に省略する。
【００６０】
この第５実施形態による画像処理装置は、画像記録装置で記録した評価用パターンに基づいて画像記録装置の特性情報を取得し、取得した特性情報に基づいて照明条件を決定する点において、上記した第１〜４実施形態による画像処理装置と異なっている。
【００６１】
具体的には、画像処理装置１２では、画像記録装置１４で記録した評価用パターンと、画像見本とを比較し、その比較結果から画像記録装置１４の特性情報としての評価ランクを取得する。その後、取得した評価ランクと、予め記憶されているテーブルとに基づいて、照明条件を決定する。
【００６２】
ここで、評価用パターン２００には、例えば、図１１のように、画像２１０〜２２２の７つの画像が記録される。各画像はそれぞれ、色彩や記録モードなどの記録条件を異ならせて記録される。例えば、画像２１０、２１２、２１４は、記録モードを異ならせた画像とする。これにより、記録モードによる画像弊害を評価できる。また、例えば、画像２１６、２１８、２２０は、インク吐出量を異ならせた画像とする。これにより、インク吐出量による画像弊害を評価できる。画像２２２は、画像２１０〜２２０よりも、記録媒体の搬送方向および記録ヘッド４０の走査方向に広い画像とする。これにより、機種ごとの搬送精度、走査精度による画像弊害を評価できる。なお、図１１、１２に示す評価用パターン２００および画像見本２０２は、あくまでも一例である。評価用パターンおよび画像見本は、機種ごとに異なる画像弊害の視認性に感度があるように設計され、かつ、各画像が互いに、同程度の、色味、サイズ、数であり、複数人による主観評価が同程度に行えるように設計されていればどのようなパターンでもよい。
【００６３】
画像見本２０２は、図１２のように、画像３１０〜３２２の７つの画像が示されている。この７つの画像はそれぞれ、評価用パターン２００の画像２１０〜２２２と対応する条件で記録したときの見本を示したものである。ユーザは、画像記録装置１４で記録した評価用パターン２００とこの画像見本２０２とにおいて、対応する各画像を比較することで、画像弊害の発生を判定することができる。画像見本２０２では、画像３１０〜３２２は、評価用パターン２００の対応する画像２１０〜２２２と同程度の色彩である。また、画像３１０〜３２２の配置位置は、評価用パターン２００の各画像と比較可能であれば、図１２に限定されるものではない。また、画像見本２０２は、画像記録装置１４に添付され、事前に作製された見本であってもよいし、表示部２６や操作パネル３８に表示されるようにしてもよい。
【００６４】
画像見本２０２が表示部２６や操作パネル３８に表示される場合などには、例えば、図１２のように、画像見本２０２における各画像の隣に、比較結果を入力する入力ボックス３２４が表示される。この入力ボックス３２４には、評価用パターン２００における画像弊害が、画像見本２０２の対応する画像よりも顕著である場合にユーザが「１」点を入力するようにする。なお、顕著でない場合には「０」点を入力する。そして、各入力ボックス３２４に入力された値を合計し、その合計値に基づいて、画像記録装置１４の特性情報としての評価ランクを取得する。また、画像見本２０２が見本として添付されている場合には、表示部２６や操作パネル３８に、上記したような比較結果を入力可能な画面が表示される。
【００６５】
画像見本２０２と比較するために評価用パターン２００をユーザが観察する場所としては、一般的な照明装置により光が照射されている環境であればどこで観察してもよい。つまり、記録物を展示する環境下で評価用パターン２００を観察する必要はない。評価用パターン２００は、画像記録装置１４の特性そのものを実画像にて判定するためのものであるので、照明についての制約は特にない。
【００６６】
本実施形態では、照明条件を通知する通知処理は、記録物の記録を行う記録処理の前後に実行される。即ち、画像記録装置１４により記録が開始される前に、画像処理装置１２において通知処理を行い、通知処理が終了した後に記録処理が実行される。あるいは、画像記録装置１４による記録処理が終了した後に、画像処理装置１２において通知処理を実行する。図１３は、第５実施形態による画像処理装置において実行される通知処理の詳細な処理内容を示すフローチャートである。この通知処理のフローチャートで示される一連の処理は、ＣＰＵ１６がＲＯＭ１８に格納されたプログラムをＲＡＭ２０に展開し実行される。あるいは、図１３におけるステップの一部または全部の機能をＡＳＩＣや電子回路などのハードウェアで実現してもよい。
【００６７】
通知処理が開始されると、まず、コントローラ２１において、画像記録装置１４に対して評価用パターン２００の作成を指示する（Ｓ１３０２）。評価用パターン２００の作成指示が、画像処理装置１２から画像記録装置１４に出力されると、画像記録装置１４は、記録媒体に対して評価用パターンデータに基づいて、評価用パターン２００を記録する。なお、評価用パターンデータは、評価用パターン２００の作成指示とともに、画像処理装置１２から出力するようにしてもよいし、予め画像記録装置１４に保持しておくようにしてもよい。
【００６８】
次に、コントローラ２１において、評価用パターン２００と画像見本２０２との比較を促すとともに、比較結果の入力を促す通知を行う（Ｓ１３０４）。即ち、Ｓ１３０４では、評価用パターン２００と画像見本２０２との比較を促すコメントおよび比較結果を入力可能な画面を表示部２６（操作パネル３８）に表示する。画像見本２０２を表示部２６に表示する際には、上記コメントとともに表示する。
【００６９】
そして、比較結果が入力されたか否かを判断し（Ｓ１３０６）、比較結果が入力されたと判断されると、コントローラ２１において、入力された比較結果に基づいて、画像記録装置１４に対する評価ランクを判定する（Ｓ１３０８）。評価ランクは、比較結果として入力された点数の合計値に応じて変化し、本実施形態では、合計値０〜２点では、評価ランク「Ａ」として、画像弊害の視認性が低いものと判定する。また、合計値５〜７点では、評価ランク「Ｃ」として、画像弊害の視認性が高いものと判定する。さらに、合計値３、４点では、評価ランク「Ｂ」として、画像弊害の視認性は、他の２つの評価ランクの中間であると判定する。入力された比較結果は、画像記録装置１４において記録された記録物に基づいているので、当該比較結果に基づいて判定された評価ランクは、画像記録装置１４の記録特性を反映した特性情報となっている。
【００７０】
その後、判定した評価ランクと、ＲＯＭ１８に記憶されたテーブルとに基づいて、照明条件を決定し（Ｓ１３１０）、決定した照明条件をユーザに通知して（１４１２）、通知処理を終了する。Ｓ１３１０で用いるテーブルでは、図１４のように、評価ランク（特性情報）に応じて照明条件が関連付けられている。評価ランクが「Ｃ」であれば、低い画質の記録となるため画像弊害の視認性が高く、照明条件の上限は低く設定される。また、評価ランクが「Ａ」であれば、高い画質の記録となるため画像弊害の視認性が低く、照明条件の上限は高く設定される。さらに、評価ランクが「Ｂ」であれば、評価ランク「Ａ」と「Ｃ」との中間程度の画質の記録となるため画像弊害の視認性は、評価ランク「Ｃ」のときよりも低く、評価ランク「Ａ」のときよりも高い。そして、照明条件の上限は、評価ランク「Ｃ」のときよりも高く、かつ、評価ランク「Ａ」のときよりも低く設定される。なお、図１４に示すテーブルは、図５（ａ）（ｂ）に示すテーブルと同様に、特性条件に関連付けられる照明条件は実験的に求められる。
【００７１】
（各実施形態における効果）
以上において説明したように、画像処理装置１２において、画像記録装置１４の特性情報に対して、記録物に適した照明条件が関連付けられたテーブルを保持するようにした。そして、画像記録装置１４による記録処理の際に、画像処理装置１２では、画像記録装置１４の特性情報を取得し、取得した特性情報と、保持したテーブルとに基づいて、照明条件を決定し通知するようにした。なお、記録物に適した照明条件とは、記録物において色再現範囲を拡大しつつ、画像記録装置１４の記録特性に起因する画像弊害の発生を抑制する照明条件である。
【００７２】
これにより、画像記録装置１４により記録された記録物を展示する際には、通知された照明条件に基づいて補助的な照明装置により当該記録物に対して光を照射することで、記録物では、色再現範囲が拡大され、かつ、画像弊害が発生しなくなる。
【００７３】
また、本発明では、通知された照明条件に基づいてユーザが照明装置の照明条件を調整するため、特許文献１のように、記録物を展示する展示環境を予め調査、測定する必要がなくなり、ユーザの負担が軽減される。
【００７４】
（他の実施形態）
なお、上記実施形態は、以下の（１）乃至（６）に示すように変形してもよい。
【００７５】
（１）上記実施形態では特に記載しなかったが、決定した照明条件を、記録物に記録してユーザに対して通知するようにしてもよい。この場合、照明条件を表示部２６に表示する処理を省略してもよい。例えば、記録物の余白部分（図１６（ａ）参照）に設けた記録領域や記録物の裏面に設けられた記録領域などに記録条件を記録することとなる。記録領域には、照明条件だけでなく、図１６（ｂ）のように、記録条件を記録するようにしてもよい。また、照明条件を、一次元コードあるいは二次元コードで記録するようにしてもよい（図１６（ｃ）参照）。こうした一次元コードあるいは二次元コードを読取装置で読み取り、読み取った照明条件に基づいて照明装置を制御するようにしてもよい。記録領域への記録は、当該記録を目立たせなくするために、例えば、透明インクを用いるようにしてもよい。
【００７６】
（２）上記実施形態では特に記載しなかったが、第１〜４実施形態のように、画像記録装置１４から特性情報を取得して照明条件を決定する方法と、第５実施形態のように、評価ランクを判定して照明条件を決定する方法とを、選択可能な構成としてもよい。また、上記実施形態では、照明条件を輝度で通知するようにしたが、照明条件は、照度など、照明の明るさを示す公知の種々の単位で通知するようにしてもよい。
【００７７】
（３）上記実施形態では、決定した照明条件を、表示部２６を介してユーザに通知するようにしたが、これに限定されるものではない。即ち、画像処理装置１２に補助的な照明を行う照明装置を接続して、決定した照明条件を画像処理装置１２から照明装置に出力し、照明装置では、出力された照明条件に基づいて照明の明るさを制御するようにしてもよい。また、上記実施形態では、画像記録装置１４をシリアルスキャンタイプのインクジェット記録装置としたが、これに限定されるものではない。即ち、画像記録装置１４は、フルラインタイプのインクジェット記録装置としてもよい。この場合には、機種は、記録媒体の搬送精度に基づいて設定される。
【００７８】
（４）上記第５実施形態では、画像処理装置１２において、評価用パターンと画像見本との比較に基づいて入力された点数の合計に応じて評価ランクを決定するようにしたが、これに限定されるものではない。即ち、画像見本に、評価用パターンと画像見本とを比較して入力する点数の合計に応じて評価ランクが対応付けられたテーブルを表示しておき、ユーザが当該テーブルを参照して評価ランクを画像処理装置１２に入力するようにしてもよい。
【００７９】
（５）上記実施形態では、照明条件として、補助的な照明の明るさを範囲を持たせて示すようにしたが、これに限定されるものではなく、最も適した明るさなど、範囲を持たない所定の明るさを示すようにしてもよい。また、上記実施形態では、画像記録装置１４の記録特性に関する情報を取得し、当該情報に基づいて、記録物に適した照明条件を決定して通知する情報処理装置としての機能を画像処理装置１２に備えるようにしたが、これに限定されるものではない。即ち、こうした情報処理装置としての機能を、画像記録装置１４に備えるようにしてもよいし、画像処理装置１２および画像記録装置１４以外の外部装置に備えるようにしてもよい。
【００８０】
（６）上記実施形態および上記した（１）および（５）に示す各種の形態は、適宜に組み合わせるようにしてもよい。本発明は、上記実施形態の１以上の機能を実現するプログラムを、ネットワークまたは記憶媒体を介してシステムまたは装置に供給し、そのシステムまたは装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８１】
１２  画像処理装置
１４  画像記録装置
２１  コントローラ
【図１】
2020145090.tif 000003
【図２】
2020145090.tif 000004
【図３】
2020145090.tif 000005
【図４】
2020145090.tif 000006
【図５】
2020145090.tif 000007
【図６】
2020145090.tif 000008
【図７】
2020145090.tif 000009
【図８】
2020145090.tif 000010
【図９】
2020145090.tif 000011
【図１０】
2020145090.tif 000012
【図１１】
2020145090.tif 000013
【図１２】
2020145090.tif 000014
【図１３】
2020145090.tif 000015
【図１４】
2020145090.tif 000016
【図１５】
2020145090.tif 000017
【図１６】
2020145090.tif 000018